(57)【要約】【課題】発射ハンドルを所望の向きに無段階に変位することができ且つその向きで手間無く保持できる遊技機を提供する。【解決手段】遊技に際して遊技者により回転操作される発射ハンドル１４と、遊技者による向き変更操作に従って発射ハンドル１４を基準状態とは異なる所定の変位状態に変位可能なハンドル角度調整手段６５と、このハンドル角度調整手段６５により変位可能な発射ハンドル１４の後部（対向用継鉄１０１）と対向し且つ対向用継鉄１０１の変位範囲面に対応する形状で磁性体である固定ガイド部材１１６と、発射ハンドル１４の後端側に設けられ且つ基準状態又は変位後状態とした発射ハンドル１４を磁力によって固定ガイド部材１１６での対向する箇所と磁気吸着する磁気吸着手段５８と、解除指示ボタン５６への解除指示入力（解除条件成立）に基づいて、磁気吸着手段５８による磁気吸着を解除する磁気吸着解除手段６０とを備える。【選択図】図４
2014094142.tif 000002
【特許請求の範囲】
【請求項１】
遊技に際して遊技者により遊技操作される操作手段を備える遊技機において、
遊技者による変位操作に従って当該操作手段を基準状態とは異なる変位状態に変位可能な変位手段と、
前記変位手段により変位可能な前記操作手段の後部と対向し且つ当該操作手段の後部の変位範囲面に対応する形状で磁性体である固定側部材と、
前記操作手段の後端側に設けられ且つ基準状態又は変位後状態とした当該操作手段を磁力によって前記固定側部材での対向する箇所と磁気吸着する磁気吸着手段と、
解除条件成立に基づいて前記磁気吸着手段による磁気吸着を解除する磁気吸着解除手段とを備える
ことを特徴とする遊技機。
【請求項２】
前記操作手段の磁気吸着が解除された場合に当該操作手段を基準状態に戻す戻し手段を備える
ことを特徴とする請求項１に記載の遊技機。
【請求項３】
前記磁気吸着手段は、永久磁石、継鉄及び前記固定側部材で磁気回路を形成するものであり、
前記磁気吸着解除手段は、前記継鉄又は前記永久磁石に設けられた励磁コイルを備え、この励磁コイルに通電することで前記永久磁石とは反対の磁場を発生するものである
ことを特徴とする請求項１又は２に記載の遊技機。
【請求項４】
前記操作手段の後部面内において同一磁極を相対向させて配列された複数の永久磁石及び前記永久磁石間に配設された第１継鉄を有する磁石ユニットと、
前記磁石ユニットと前記固定側部材との間に変位可能に位置し且つ非磁性体と第２継鉄とが配置された制御ユニットと、
前記非磁性体が前記永久磁石に対向し且つ前記第２継鉄が前記第１継鉄に対向する第１状態と前記非磁性体が前記第１継鉄に対向し且つ前記第２継鉄が前記永久磁石に対向する第２状態とに前記制御ユニットを変位する変位機構とを備え、
前記変位機構によって前記制御ユニットが第１状態になると、前記永久磁石からの磁気が前記制御ユニットの前記第２継鉄と前記固定側部材とを通る第１磁気回路を形成して前記操作手段を前記固定側部材に磁気吸着し、
前記変位機構によって前記制御ユニットが第２状態になると、前記永久磁石からの磁気が前記固定側部材に達せずに前記第２継鉄を通る第２磁気回路を形成して前記操作手段の前記固定側部材への磁気吸着を解除する
ことを特徴とする請求項１又は２に記載の遊技機。
【請求項５】
前記操作手段に対する変位操作可能期間を示唆する示唆手段を備えることを特徴とする請求項１〜４の何れかに記載の遊技機。
【発明の詳細な説明】
【技術分野】
【０００１】
本発明は、パチンコ機、アレンジボール機、スロットマシン等の遊技機に関するものである。
【背景技術】
【０００２】
パチンコ機等の遊技機では、遊技機本体の前側下部に発射ハンドルが突設されており、遊技者がこの発射ハンドルを操作することにより、発射手段による遊技球の発射動作の開始／停止の切り替え及び発射強度の調整を行うことができるようになっている。従って、遊技者は遊技を行っている間、長時間にわたってこの発射ハンドルを握った状態を維持しなければならない。
【０００３】
そこで、遊技者の身体的負担を軽減できるよう、遊技者が自分の体格等に合わせて発射ハンドルの向きを変更可能とした遊技機が提案されている。この遊技機では、発射ハンドルを所定の中心点廻りに揺動可能に支持すると共にその発射ハンドルを所定の姿勢で固定可能となっている（特許文献１）。
【先行技術文献】
【特許文献】
【０００４】
【特許文献１】特開２００１−３０００１９号公報
【発明の概要】
【発明が解決しようとする課題】
【０００５】
前述した遊技機では、発射ハンドルの向きを上下左右に無段階に変更可能であるが、発射ハンドルをその変更した向きを維持するように片手（例えば右手）で持ちながら、当該発射ハンドルの後側に設けられたＴ字状の押し込み操作部を反対の手（左手）で強く押し込む、あるいは、発射ハンドルの後側の押蓋を反対の手（左手）でねじ込むことで発射ハンドルを固定するため、かかる固定作業時に発射ハンドルの向きがずれた状態で固定されるという問題がある。
【０００６】
本発明は、上記事情に鑑みてなされたものであり、発射ハンドルを所望の向きに無段階に変位でき且つその向きで手間無く保持できる遊技機を提供することを目的とする。
【課題を解決するための手段】
【０００７】
本発明は、遊技に際して遊技者により遊技操作される操作手段１４を備える遊技機において、遊技者による変位操作に従って当該操作手段１４を基準状態とは異なる変位状態に変位可能な変位手段６５と、前記変位手段６５により変位可能な前記操作手段１４の後部と対向し且つ当該操作手段１４の後部の変位範囲面に対応する形状で磁性体である固定側部材１１６と、前記操作手段１４の後端側に設けられ且つ基準状態又は変位後状態とした当該操作手段１４を磁力によって前記固定側部材１１６での対向する箇所と磁気吸着する磁気吸着手段５８と、解除条件成立に基づいて前記磁気吸着手段５８による磁気吸着を解除する磁気吸着解除手段６０とを備えるものである。
【０００８】
なお、操作手段１４としては、遊技球の発射操作のための発射ハンドル１４の他、ジョイスティック、タッチパネル、ステアリングコントローラ、操縦桿、押しボタン式操作装置、スライドレバー式操作装置などの各種コントローラ（入力装置）などが挙げられ、これらのコントローラは、遊技球の発射操作、遊技のための必須操作（例えば、スロットマシンのスタートレバー及びストップボタンの操作）、遊技内容に関連して行われる操作（例えば表示装置に表示される遊技表示演出での案内に従って行われる操作）などに用いるものが挙げられる。
【０００９】
また、操作手段１４の変位状態としては、所定の角度位置、距離位置などの設定状態が挙げられる。また、基準状態は、遊技者の最も使用頻度の高い状態や標準的な状態などが挙げられる。基準状態として例えば基準角度位置を採用する場合には、遊技者の最も使用頻度の高い角度位置、標準的な角度位置などが挙げられる。なお、変位範囲面とは、操作手段１４が変位することで当該後部が変位する範囲を構成する面のことである。
【００１０】
また、前記操作手段１４の磁気吸着が解除された場合に当該操作手段１４を基準状態に戻す戻し手段１１８を備える構成としてもよい。
【００１１】
また、前記磁気吸着手段５８は、永久磁石１００、継鉄１０１，１０２及び前記固定側部材１１６で磁気回路を形成するものであり、前記磁気吸着解除手段６０は、前記継鉄１０１，１０２又は前記永久磁石１００に設けられた励磁コイル１０３を備え、この励磁コイル１０３に通電することで前記永久磁石１００とは反対の磁場を発生するものである構成してもよい。
【００１２】
また、前記操作手段１４の後部面内において同一磁極を相対向させて配列された複数の永久磁石１３１及び前記永久磁石１３１間に配設された第１継鉄１３２を有する磁石ユニット１３０と、前記磁石ユニット１３０と前記固定側部材１１６との間に変位可能に位置し且つ非磁性体１４１と第２継鉄１４２とが配置された制御ユニット１４０と、前記非磁性体１４１が前記永久磁石１３１に対向し且つ前記第２継鉄１４２が前記第１継鉄１３２に対向する第１状態と前記非磁性体１４１が前記第１継鉄１３２に対向し且つ前記第２継鉄１４２が前記永久磁石１３１に対向する第２状態とに前記制御ユニット１４０を変位する変位機構１４８とを備え、前記変位機構１４８によって前記制御ユニット１４０が第１状態になると、前記永久磁石１３１からの磁気が前記制御ユニット１４０の前記第２継鉄１４２と前記固定側部材１１６とを通る第１磁気回路を形成して前記操作手段１４を前記固定側部材１１６に磁気吸着し、前記変位機構１４８によって前記制御ユニット１４０が第２状態になると、前記永久磁石１３１からの磁気が前記固定側部材１１６に達せずに前記第２継鉄１４２を通る第２磁気回路を形成して前記操作手段１４の前記固定側部材１１６への磁気吸着を解除する構成してもよい。
【００１３】
また、前記操作手段１４に対する変位操作可能期間を示唆する示唆手段１５７を備える構成としてもよい。
【発明の効果】
【００１４】
本発明によれば、発射ハンドルを所望の向きに無段階に変位でき且つその向きで手間無く保持できる。
【図面の簡単な説明】
【００１５】
【図１】本発明の第１の実施形態を示すパチンコ機の全体斜視図である。
【図２】同パチンコ機でガラス扉及び下部開閉扉を外した状態の正面図である。
【図３】同パチンコ機における下部開閉扉の平面図である。
【図４】同パチンコ機におけるハンドル角度調整手段及びその近傍の平面断面図である。
【図５】同パチンコ機におけるハンドル角度調整手段及びその近傍の側面断面図である。
【図６】同ハンドル角度調整手段の要部の拡大平面断面図である。
【図７】同パチンコ機における磁気吸着手段及びその近傍の正面断面図である。
【図８】同パチンコ機におけるハンドル角度調整手段の分解斜視図である。
【図９】同パチンコ機における発射ハンドルの解除制御を示すブロック図である。
【図１０】本発明の第２の実施形態を示すパチンコ機における発射ハンドル及びその近傍の平面断面図である。
【図１１】同パチンコ機における発射ハンドル及びその近傍の側面断面図である。
【図１２】（ａ）は磁気吸着時の発射ハンドル後部を説明する図であって左側に磁石ユニットを右側に制御ユニットを示した概略正面断面図、（ｂ）は発射ハンドル後部及びその近傍の一点鎖線で示す周方向線での断面図である。
【図１３】（ａ）は磁気吸着解除時の発射ハンドル後部を説明する図であって左側に磁石ユニットを右側に制御ユニットを示した概略正面断面図、（ｂ）は発射ハンドル後部及びその近傍の一点鎖線で示す周方向線での断面図である。
【発明を実施するための形態】
【００１６】
以下、本発明の実施形態を図面に基づいて詳述する。図１〜図９は本発明をパチンコ機に適用した第１の実施形態を例示している。図１及び図２において、遊技機本体１は、矩形状の外枠２と、この外枠２の左右一側、例えば左側のヒンジ３を介して縦軸心廻りに開閉自在及び着脱自在に枢着された内枠４とを備えている。
【００１７】
内枠４には、その上部側に設けられた上部装着部５に遊技盤６が、その上部装着部５の下側に設けられた下部装着部７に発射手段８等が夫々配置されており、その内枠４の前側には、上部装着部５に対応するガラス扉９と、下部装着部７に対応する下部開閉扉１０とがヒンジ３と同じ側のヒンジ１１により開閉自在及び着脱自在に枢着されている。ガラス扉９には、遊技盤６側の遊技領域６ａに対応するガラス窓１２が設けられ、また下部開閉扉１０には、発射手段８に供給するための遊技球を貯留する貯留皿１３、発射手段８を作動させるための発射ハンドル１４等が設けられている。
【００１８】
上部装着部５には、遊技盤６を装着するための遊技盤装着枠１５が設けられると共に、例えばその上端側には左右一対のスピーカ１６が着脱自在に装着されている。遊技盤６は、遊技盤装着枠１５に対して例えば前側から装着され、１又は複数の固定具１５ａにより着脱自在に固定されており、その前面側には、発射手段８により発射された遊技球を遊技領域６ａの上部側に案内する外レール２１と、遊技領域６ａの周囲を規定する周壁の少なくとも一部を構成する内レール２２とが立設されると共に、遊技領域６ａ内には、画像表示手段を備えたセンターケース２３の他、通過ゲート２４、開閉式入賞手段２５、大入賞手段２６、普通入賞手段２７等の各種遊技部品が装着されている。
【００１９】
下部装着部７には、その前側の例えば左右方向略中央に発射手段８が配置され、その発射手段８の左側には、図外の払い出し手段から払い出された遊技球を下部開閉扉１０側の貯留皿１３に排出するための払い出し口３１等が配置されている。
【００２０】
発射手段８は、図２に示すように、板金製の支持板３３と、この支持板３３の前面に装着された発射レール３４と、支持板３３の前面に装着され且つ発射用の遊技球を発射レール３４上に保持する球保持部３５と、支持板３３の前面で前後方向の駆動軸３６廻りに揺動自在に支持された打撃槌３７と、支持板３３の裏側に装着され且つ打撃槌３７を駆動軸３６を介して打撃方向に駆動するロータリソレノイド等の発射駆動手段３８とを備え、下部開閉扉１０側の発射ハンドル１４が操作されたときに、その操作量に応じて発射駆動手段３８により打撃槌３７を打撃方向（時計廻り）に連続的に駆動することにより、下部開閉扉１０側の貯留皿１３から発射レール３４上に供給された遊技球を発射レール３４に沿って打撃して遊技領域６ａ側に発射させるようになっている。
【００２１】
下部開閉扉１０は、図１及び図３に示すように、下部装着部７の前側に配置される台板４１と、この台板４１の前側上部に配置される貯留皿１３と、この貯留皿１３の前側から台板４１の略全体を覆う化粧カバー４２と、この化粧カバー４２の前側に突設される発射ハンドル１４と、発射動作と連動して貯留皿１３側の遊技球を発射レール３４上に一個ずつ供給する球送り手段４３と、ファール球を貯留皿１３側に案内するファール球返却手段４４とを備えている。
【００２２】
台板４１は、図３に示すように、例えば合成樹脂により下部装着部７を略覆う横長矩形状に形成され、その裏側には、球送り手段４３、ファール球返却手段４４等が着脱自在に装着されると共に、下部装着部７側の払い出し口３１に対応して払い出し案内樋４５が突設されており、払い出し手段（図示省略）からの遊技球が払い出し口３１から払い出し案内樋４５を経て前側の貯留皿１３に払い出されるようになっている。
【００２３】
貯留皿１３は、払い出し案内樋４５が設けられている左右方向の一端側、例えば左端側から他端側、例えば右端側に向けて緩やかに下る傾斜状に設けられ、その下流側が球送り手段４３に連通している。
【００２４】
化粧カバー４２は、貯留皿１３の前側を覆う貯留皿カバー部５１と、貯留皿１３の下側から左右両側で台板４１の前側を覆う前カバー部５２とを一体又は別体に備えている。貯留皿カバー部５１は、貯留皿１３の形状に合わせて前向き膨出状に形成されており、その前側に貸し球操作部５３、球抜き操作部５４、演出操作部５５等が設けられている。
【００２５】
発射ハンドル１４は、図４、図５に示すように、前カバー部５２に形成されたハンドル挿通孔５２ａを介して前側に突出するハンドルベース６１、このハンドルベース６１の前側に例えばハンドルベース６１の中心軸（以下、ハンドル軸という）廻りに回動可能に支持された回転操作部（発射操作部）６２及びこの回転操作部６２の前側を覆うハンドルキャップ６３を有するハンドル本体部６４を備え、台板４１の後側に装着されたハンドル角度調整手段６５によりハンドル軸の方向を調整可能な状態で支持されている。
【００２６】
ハンドルベース６１は、例えば略円筒状の支持脚部６６と、この支持脚部６６の前端側に設けられた略椀形の機構収容部６７とを一体に備え、支持脚部６６の後端側がハンドル角度調整手段６５により支持されている。機構収容部６７には、回転操作部６２の回転角度を検出するための可変抵抗器６８、遊技者が回転操作部６２に触れているか否かを検出するためのタッチセンサ６９等が収容されると共に、発射手段８のＯＮ／ＯＦＦを切り替えるための停止操作レバー７０が例えば回転操作部６２の後側で周方向外向きに突設されている。
【００２７】
回転操作部６２は、機構収容部６７の外周に沿う略円環状で、外周面に複数の指掛け部６２ａが突設されると共に、例えばその外表面全体に導電性メッキが施されてタッチセンサ６９と導通しており、戻しバネ（図示省略）により反操作方向（反時計方向）に付勢されている。そして、遊技者によって回転操作部６２が時計方向に回転操作されたとき、その回転角度に対応する発射強度で発射駆動手段３８が作動するようになっている。なお、回転操作部６２が回転した状態であってもタッチセンサ６９による検出がなければ発射手段８は作動せず、また回転操作部６２が非操作状態のとき、即ち戻しバネの付勢により原点位置に保持されているとき、当該回転操作部６２の所定部位により停止操作レバー７０が押されて発射手段８がＯＦＦになるように構成されている。
【００２８】
また、発射ハンドル１４は、当該発射ハンドル１４の向き固定を解除する解除入力指示を遊技者から受ける解除指示ボタン５６が配設されており、その先端部分がハンドルキャップ６３から突出した状態となっている。解除指示ボタン５６は、例えば押している間だけスイッチ部５６ａがＯＮとなる自動復帰型スイッチである。この解除指示ボタン５６が長押し操作（例えば５秒間）されると、後述する磁気吸着手段５８による磁気吸引が所定の解除期間だけ解除される。前記の解除期間が経過すると磁気吸着手段５８による磁気吸着が再開される。
【００２９】
ハンドル角度調整手段６５は、発射ハンドル１４の突出方向、即ちハンドル軸の向きを調整するためのもので、例えば下部開閉扉１０に固定されるベース体７１と、このベース体７１により左右方向の横回転軸（第１回転軸）Ａｘ廻りに回転可能に支持される外回転体（第１回転体）７２と、この外回転体７２により上下方向の縦回転軸（第２回転軸）Ａｙ廻りに回転可能に支持され且つ発射ハンドル１４が固定される内回転体（第２回転体）７３と、発射ハンドル１４の後部（内回転体７３の後方に位置する後述の永久磁石１００の対向用継鉄１０１）と対向し且つ当該発射ハンドル１４の対向用継鉄１０１の変位範囲面に対応する形状で磁性体である固定ガイド部材１１６（固定側部材）と、発射ハンドル１４の後端側に設けられ且つ基準状態又は変位後状態とした当該発射ハンドル１４を磁力によって固定ガイド部材１１６での対向する箇所と磁気吸着する磁気吸着手段５８とを備えている。この変位範囲面とは、発射ハンドル１４が変位することでその対向用継鉄１０１が変位する範囲を構成する面のことである。
【００３０】
また、このハンドル角度調整手段６５は、解除指示ボタン５６への解除指示入力（解除条件成立）に基づいて、磁気吸着手段５８による磁気吸着を解除する磁気吸着解除手段６０を備えている。
【００３１】
なおここでは、発射ハンドル１４の基準状態とは、例えば図４、図５に実線で示すように上下左右方向の何れも中心を向く状態（水平角及び仰角が共に０度の状態）としているが、所定の水平角及び仰角を向く状態を基準状態としてもよいし、磁気吸着手段５８の永久磁石１００が固定ガイド部材１１６の中心点（あるいは基準点等）と対向する状態を基準状態としてもよい。また、発射ハンドル１４の変位後状態とは、前記の基準状態とは異なる向きである状態であり、図４、図５に二点鎖線で示す向きなど種々の向きが挙げられる。
【００３２】
ベース体７１は、図４、図５及び図８に示すように、例えば前側が開口した箱形状であり、例えばその左側壁部７４ａ、右側壁部７４ｂ、天壁部７４ｄ及び底壁部７４ｅの前縁側に一体に設けられたフランジ７６において下部開閉扉１０の台板４１の背面側に固定ねじ７７等により着脱自在に固定されている。また、左側壁部７４ａ、右側壁部７４ｂの例えば前端部近傍には、左右方向に対応する一対の横軸受け孔７８ａ，７８ｂが形成されている。
【００３３】
外回転体７２は、例えば上下左右の周壁８１ａ〜８１ｄを一体に備えた略箱形で、この周壁８１ａ〜８１ｄの前側端に形成された、発射ハンドル１４のハンドルベース６１を前後に挿通させるための開口部８３が形成されており、左右の周壁８１ｃ，８１ｄがベース体７１側の左側壁部７４ａ、右側壁部７４ｂ、天壁部７４ｄ及び底壁部７４ｅの内側に沿うようにベース体７１内に配置されている。また、左右の周壁８１ｃ，８１ｄの例えば前端部近傍には、ベース体７１側の横軸受け孔７８ａ，７８ｂにそれぞれ回転自在に装着された横軸部材８４ａ，８４ｂが、例えばベース体７１の外側から軸固定ねじ８５ａ，８５ｂにより着脱自在に固定されている。これにより、外回転体７２はベース体７１に対して横軸受け孔７８ａ，７８ｂの中心を通る横回転軸Ａｘ廻りに回転可能となっている。
【００３４】
また、上下の周壁８１ａ，８１ｂの例えば前端部近傍には、上下方向に対応する一対の縦軸受け孔８６ａ，８６ｂが形成されている。これら縦軸受け孔８６ａ，８６ｂは、それらの中心を通る直線（縦回転軸Ａｙ）が、ベース体７１側の横軸受け孔７８ａ，７８ｂの中心を通る直線（横回転軸Ａｘ）と交点Ｃにおいて直交するように配置されている。
【００３５】
内回転体７３は、外回転体７２側の周壁８１ａ〜８１ｄの内側にそれぞれ対向するように配置される上下左右の内周壁８７ａ〜８７ｄと、外回転体７２側の内側で開口部８３に近い箇所に配置される内前壁８８とを一体に備えた略箱形で、発射ハンドル１４の後端部が、外回転体７２側の開口部８３を介してその後側の内前壁８８に着脱可能に固定されている。また、上下の内周壁８７ａ，８７ｂの例えば前端部近傍には、外回転体７２側の縦軸受け孔８６ａ，８６ｂにそれぞれ回転自在に装着された縦軸部材８９ａ，８９ｂが、例えば外回転体７２の外側から軸固定ねじ９０ａ，９０ｂにより着脱自在に固定されている。これにより、内回転体７３は外回転体７２に対して縦軸受け孔８６ａ，８６ｂの中心を通る縦回転軸Ａｙ廻りに回転可能となっている。
【００３６】
また、内回転体７３の内前壁８８は、縦回転軸Ａｙ廻りに回転したときの外回転体７２側の開口部８３との隙間が常に小さく保たれるように、例えばその上下の縁部は開口部８３の上下の縁部と近接しており、また左右両縁部は例えば外向きに突出すると共にその端面は常に開口部８３の左右の縁部に近接するように縦回転軸Ａｙを中心とする略円筒面状に形成されている。
【００３７】
内回転体７３の後端側には、背壁１１７を介して磁気吸着手段５８がネジ５８ａによりネジ止め（固定）されている。この磁気吸着手段５８は、永久磁石１００と、例えば円柱形状の対向用継鉄１０１（継鉄）と、固定ガイド部材１１６と、永久磁石１００及び対向用継鉄１０１を内部に収容した例えば円筒形状の外形用継鉄１０２（継鉄）とで磁気回路（図４、図５に破線矢印で示す磁気回路）を形成するものであり、当該磁気吸着手段５８の後端部（対向用継鉄１０１及び外形用継鉄１０２における固定ガイド部材１１６と対向する端部）が例えばベース体７１の背壁７４ｃに形成された開口部１２１を介して後ろ側に突出するように、交点Ｃを中心とする半径方向に沿って配置されている。
【００３８】
磁気吸着解除手段６０は、対向用継鉄１０１の外周に巻かれた励磁コイル１０３を備えており、この励磁コイル１０３に通電することで永久磁石１００とは反対の磁場を発生させるものである。なお、励磁コイル１０３は、対向用継鉄１０１の外周に巻いているが、例えば永久磁石１００や外形用継鉄１０２の外周に巻いたものとしてもよい。
【００３９】
固定ガイド部材１１６は、後ろ向きに膨出する略皿型に形成され、開口部１２１を略覆うようにベース体７１の背壁７４ｃの後側に固定されており、その前面側が交点Ｃを中心とする球面状の固定ガイド面１２２となっている。つまり、磁気吸着手段５８の後端部（つまり、対向用継鉄１０１及び外形用継鉄１０２の後端部）は、内回転体７３の交点Ｃ廻りの回転に伴って、固定ガイド部材１１６の固定ガイド面１２２に対して近接（僅かの隙間（例えば、０．５ミリや１ミリ）を空けた状態）して変位することになる。なお、永久磁石１００による発射ハンドル１４の磁気吸着による固定が十分に確保できるのであれば、永久磁石１００の磁力に比例して前記隙間を大きくすることも可能である。また、対向用継鉄１０１の後端部を固定ガイド部材１１６に摺動するようにしてもよい。
【００４０】
解除指示ボタン５６が長押し操作されて励磁コイル１０３が通電状態となると、磁気吸着手段５８による磁場とは反対の新たな磁場が励磁コイル１０３により発生する。つまり、磁気吸着手段５８による磁気回路（永久磁石１００と対向用継鉄１０１と固定ガイド部材１１６と外形用継鉄１０２とで形成される磁気回路）を低減する（完全に打ち消してもよい）反対の磁気回路が発生する。この磁気吸着解除状態では、遊技者が発射ハンドル１４の向きを変更可能な状態となる。つまり、変位後状態の発射ハンドル１４を磁気吸着手段５８による磁力で保持できない状態となっている。
【００４１】
固定ガイド部材１１６の固定ガイド面１２２には、図４に二点鎖線で示すように発射ハンドル１４を最も右向きあるいは最も左向きに変位した場合に当該発射ハンドル１４の後部の磁気吸着手段５８と対向する箇所と、図５に二点鎖線で示すように発射ハンドル１４を最も上向きあるいは最も下向きに変位した場合に当該発射ハンドル１４の後部の磁気吸着手段５８と対向する箇所と、発射ハンドル１４を最も右上斜め向き、最も左上斜め向き、最も右下斜め向きあるいは最も左下斜め向きに変位した場合に当該発射ハンドル１４の後部の磁気吸着手段５８と対向する箇所とを有する形状となっている。
【００４２】
なお、外回転体７２のベース体７１に対する横回転軸Ａｘ廻りの揺動は、図示しない規制手段により、ハンドル軸が上向きとなる状態から下向きとなる状態までの範囲、又はそれよりも若干広い範囲内に規制されているものとする。また、内回転体７３の外回転体７２に対する縦回転軸Ａｙ廻りの揺動は、図示しない規制手段により、ハンドル軸が左向きとなる状態から第２右向きとなる状態までの範囲、又はそれよりも若干広い範囲内に規制されているものとする。
【００４３】
また、台板４１は、図４、図５に示すように、発射ハンドル１４の磁気吸着保持が解除された場合に、当該発射ハンドル１４を基準状態に戻す姿勢戻しバネ１１８（戻し手段）を備えている。具体的には、姿勢戻しバネ１１８は、例えば円錐コイルバネであり、その一端側が、ベース体７１のフランジ７６の前面側で開口周囲に窪み形成されたバネ保持凹部７９に固定され、その他端側が、例えば略半球状でその中央箇所に後方に延出した円筒部８０ａ内に支持脚部６６が挿入されたカバー部材８０の後面箇所に固定されている。図４，図５に示すように、発射ハンドル１４が基準状態にある場合には、姿勢戻しバネ１１８は上下左右方向に変形しておらず、図４，図５に二点鎖線で示すように発射ハンドル１４を変位後状態（その向きを上下左右などに変更した状態）にすると、その変位方向に変形した状態となり、姿勢戻しバネ１１８は発射ハンドル１４を基準状態に戻す方向への付勢力が生じる。
【００４４】
例えば、発射ハンドル１４が変位後状態である場合に、磁気吸着解除手段６０により磁気吸着手段５８による磁気吸着が解除されると、姿勢戻しバネ１１８により、発射ハンドル１４が基準姿勢に復帰し、磁気吸着解除手段６０による解除期間が終了した時点から磁気吸着手段５８による磁気吸着が再開され、発射ハンドル１４が基準状態で吸着固定される。
【００４５】
なお、カバー部材８０により、ハンドル挿通孔５２ａと支持脚部６６との隙間を少なくあるいは塞ぐことができる。姿勢戻しバネ１１８は、上述した円錐コイルバネ以外の形状の円筒状のコイルバネや渦巻き状のコイルバネその他の各種バネの他、支持脚部６６が挿入可能な開口を有するゴム等の弾性体などを採用してもよい。
【００４６】
なおここで、主制御基板１５０で解除条件成立（例えば、遊技者による解除指示ボタン５６の長押し操作が成立）と判定し解除する構成について、具体的に説明する。
【００４７】
本実施形態のパチンコ機は、図９に示すように、遊技動作を統括的に制御する主制御基板１５０を備えている。この主制御基板１５０は、図２に示す開閉式入賞手段２５（始動入賞手段）への遊技球の入賞に基づいて各種の乱数値を取得して記憶し、これらの乱数値に対応する演出図柄（図柄）の変動表示演出を演出図柄表示手段２０（変動表示手段、表示手段）に表示させるように各種の制御コマンドをサブ制御基板（図示省略）に出力し、サブ制御基板が演出図柄表示手段２０を表示制御している。さらにこの主制御基板１５０は、以下に説明する解除指示判定手段１５１と、解除制御部１５２（解除制御手段）とを備えている。
【００４８】
この解除指示判定手段１５１は、解除指示ボタン５６が長押し操作（例えば５秒間）されたか否かを判定する。具体的には、解除指示判定手段１５１は、解除指示ボタン５６が押し操作された時点からその押し操作が所定時間（例えば５秒間）継続されているかを計時する検出用タイマ１５３を備えており、検出用タイマ１５３において５秒間の計時が完了すると、解除指示信号を解除制御部１５２に出力する。
【００４９】
解除制御部１５２は、制御用タイマ１５４と通電制御部１５５と発光制御部１５６とを備え、解除指示信号に基づいて、基準状態又は変位後状態の発射ハンドル１４の磁気吸着手段５８による吸引保持を解除するために磁気吸着解除手段６０を制御するとともに、かかる磁気吸着の解除を発射ハンドル１４に設けた発光部１５７（示唆手段）の発光によって示唆するように発光制御する。この発光部１５７は、光透過性のハンドルキャップ６３と、当該ハンドルキャップ６３の背後側に位置し且つハンドルキャップ６３に光を照射する図示省略のＬＥＤ実装基板（ランプ等でもよい）とで構成される。
【００５０】
具体的には、制御用タイマ１５４は、解除指示信号に基づいて解除期間（例えば５秒間）を計時する。通電制御部１５５は、制御用タイマ１５４による計時開始と同時に磁気吸着解除手段６０の励磁コイル１０３に通電を開始する。また、発光制御部１５６は、制御用タイマ１５４による計時開始と同時に発射ハンドル１４の発光部１５７を点滅させる。遊技者は、発射ハンドル１４の発光部１５７の点滅により、磁気吸着が解除されていること、つまり、発射ハンドル１４の向きを変更する場合であればこの点滅期間において当該発射ハンドル１４の向き変更が可能であることや、発射ハンドル１４から手を離している場合に当該発射ハンドル１４が基準状態に自動的に復帰されることを知ることができる。
【００５１】
例えば、発射ハンドル１４が図４及び図５に二点鎖線で示すような変位後状態であり、遊技者が発射ハンドル１４から手を離している場合には、磁気吸着手段５８による磁場とは反対の磁場が励磁コイル１０３への通電により発生し、変位後状態の吸引保持が解消されるため、姿勢戻しバネ１１８により、発射ハンドル１４が図４及び図５に実線で示す基準姿勢に復帰される。
【００５２】
また、遊技者が基準状態又は変位後状態の発射ハンドル１４を操作して所望の向きに変更する場合には、磁気吸着手段５８による磁場とは反対の磁場が励磁コイル１０３への通電により発生し、変位後状態の吸引保持が解消されており、図４及び図５に二点鎖線で示すような変位後状態や、図４及び図５に実線で示す基準姿勢に発射ハンドル１４を向けることができる。
【００５３】
続いて、制御用タイマ１５４が解除期間を計時すると、つまり解除期間が終了すると、解除制御部１５２は、発光部１５７を例えば１秒間の間点灯状態とするように発光制御部１５６を制御するとともに、励磁コイル１０３への通電を終了するように通電制御部１５５を制御する。遊技者は、発射ハンドル１４の発光部１５７の点灯状態により、当該発射ハンドル１４の磁気吸着解除が終了したこと、つまり、発射ハンドル１４の磁気吸着が再開されたことを知ることができる。なお、遊技者は、発光部１５７が消灯することで、次の磁気吸着解除指示が受け付け可能な状態であること、つまり解除指示ボタン５６を長押し操作して再び磁気吸着を解除させ得る状態であることを知ることができる。
【００５４】
以上のように構成された本実施形態のパチンコ機では、遊技に際して遊技者により回転操作（遊技操作）される発射ハンドル１４と、遊技者による向き変更操作（変位操作）に従って発射ハンドル１４を基準状態とは異なる所定の変位状態に変位可能なハンドル角度調整手段６５と、このハンドル角度調整手段６５により変位可能な発射ハンドル１４の後部（対向用継鉄１０１）と対向し且つ当該発射ハンドル１４の対向用継鉄１０１の変位範囲面に対応する形状で磁性体である固定ガイド部材１１６と、発射ハンドル１４の後端側に設けられ且つ基準状態又は変位後状態とした当該発射ハンドル１４を磁力によって固定ガイド部材１１６での対向する箇所と磁気吸着する磁気吸着手段５８と、解除指示ボタン５６への解除指示入力（解除条件成立）に基づいて、磁気吸着手段５８による磁気吸着を解除する磁気吸着解除手段６０とを備えている。
【００５５】
したがって、  解除指示ボタン５６への解除指示入力（解除条件成立）に基づいて発射ハンドル１４の磁気吸着が解除されるので、遊技者による変位操作に従って発射ハンドル１４を任意の変位状態に変位することができ、発射ハンドル１４を遊技者の好みの状態（好みの向き）に無段階に変位させることができる。また、その所望の変位後状態（所望の向き）で磁気吸着手段５８による磁気吸着が復帰することで、発射ハンドル１４の後端側の磁気吸着手段５８が固定ガイド部材１１６での対向する箇所に磁力で吸着固定されるので、発射ハンドル１４を所望の変位状態（所望の向き）で手間無く保持することができる。
【００５６】
また、発射ハンドル１４の磁気吸着が解除された場合に当該発射ハンドル１４を基準状態に戻す姿勢戻しバネ１１８を備えているので、解除指示ボタン５６への解除指示入力（解除条件成立）に基づいて磁気吸着手段５８による磁気吸着が解除されると、姿勢戻しバネ１１８は、変位後（調整後）状態の発射ハンドル１４を基準状態に戻すので、発射ハンドル１４を手間無く且つ自動的に基準状態に戻すことができる。つまり、変位後状態の発射ハンドル１４を基準状態に戻すように遊技者が当該発射ハンドル１４を戻し作業（例えば、発射ハンドル１４を固定する固定具を外したり緩めたりする作業）をすることが不要である。また、新たな遊技者は、発射ハンドル１４を基準状態から所望の変位状態に設定することができ、前回の遊技者による変位後状態の発射ハンドル１４に違和感を覚えたりそれを基準状態に戻す手間が生じたりすることがない。
【００５７】
また、磁気吸着手段５８は、永久磁石１００、対向用継鉄１０１、固定ガイド部材１１６及び外形用継鉄１０２で磁気回路を形成しているので、発射ハンドル１４を永久磁石１００の磁力で固定ガイド部材１１６に磁気吸着させることができ、発射ハンドル１４の固定時には電力が不要であるので、省電力で磁気吸着固定することができる。また、磁気吸着解除手段６０は、継鉄又は永久磁石１００に設けられた励磁コイル１０３に通電することで永久磁石１００とは反対の磁場を発生させるので、永久磁石１００による磁場を打ち消す又は弱くすることができ、永久磁石１００による磁気吸着を好適に解除することができる。
【００５８】
また、発射ハンドル１４に対する変位操作可能期間を、当該発射ハンドル１４に配設された発光部１５７により発光示唆されるので、遊技者は、発光部１５７が示唆する発射ハンドル１４の変位操作可能期間を認識して当該発射ハンドル１４の変位操作を行うことができ、安心して変位操作を行うことができる。また、発光部１５７が示唆する変位可能期間の終了時点における発射ハンドル１４の変位後状態等で固定することができ、所望の変位後状態からずれて固定されることを低減できる。
【００５９】
また、本実施形態では、発射ハンドル１４の前面（ハンドルキャップ６３）に解除指示ボタン５６を備えているため、遊技中に遊技者の手のひらが当たることがあるが、解除指示ボタン５６を長押し操作（例えば５秒間）した場合に発射ハンドル１４の磁気吸着解除が実行され、解除指示ボタン５６が瞬間的（５秒未満）に押されても発射ハンドル１４の磁気吸着解除には至らないので、発射ハンドル１４の前面に解除指示ボタン５６を有する構成であっても、不本意な解除指示の発生を低減することができる。
【００６０】
図１０〜図１４は本発明の第２の実施形態を例示し、第１の実施形態における磁気吸着解除手段６０の構成を変更した例を示している。本実施形態に関する以下の説明で特に言及しない構成については第１の実施形態と同様であるとする。
【００６１】
前述の第１の実施形態では、磁気吸着手段５８による磁場とは反対の磁場を磁気吸着解除手段６０の励磁コイル１０３によって発生させているが、第２の実施形態では、磁石ユニット１３０（磁気吸着手段５８）よる磁場を制御ユニット１４０（磁気吸着解除手段６０）によって固定ガイド部材１１６に及ぼすか否かを制御する構成としている。
【００６２】
第２の実施形態の磁石ユニット１３０は、図１０、図１１に示すように、その外形が、背面視でドーナツ状（環状）であり且つ断面視で後端面が円弧凸状である略蒲鉾形状となっている。この磁石ユニット１３０は、図１２に示すように、背面視で同一磁極を相対向させて環状に配列された複数（例えば８個）の永久磁石１３１及びそれらの永久磁石１３１間に配設された第１継鉄１３２を備えている。
【００６３】
磁石ユニット１３０は、図１０〜図１２に示すように、ベース体７１の固定ガイド部材１１６の固定ガイド面１２２に対して、制御ユニット１４０を介して対向配置されている。具体的には、この磁石ユニット１３０は、図１１に示すように、先端側が支持脚部６６の後端開口部６６ａに嵌入され且つ固定ガイド部材１１６に向けて突出した円筒形状の第１支持筒体１３３の後端側に固定されている。ここでは、図１１に示すように、磁石ユニット１３０は、その前端側に形成された嵌入受け部１３４に第１支持筒体１３３を嵌入することで固定されている。
【００６４】
この制御ユニット１４０は、図１０〜図１２に示すように、磁石ユニット１３０と固定ガイド部材１１６との間に、解除指示ボタン５６の押し操作方向を回動軸心として回動変位機構１４８（変位機構）により回動変位可能に配設されている。制御ユニット１４０は、その外形が、背面視でドーナツ状（環状）であり且つ断面視で後方に突き出た円弧形状となっている。この制御ユニット１４０は、背面視で複数（例えば８個）の非磁性体１４１とそれらの非磁性体１４１間に配設された第２継鉄１４２とが交互に環状に配置されている。
【００６５】
制御ユニット１４０は、その前面側である凹状円弧面１４０ａの中央開口部１４３の周縁部１４４に、円筒形状の第２支持筒体１４５の後端部を当接させて当該第２支持筒体１４５が固定されており、当該制御ユニット１４０の凹状円弧面１４０ａが磁石ユニット１３０の後面側である凸状円弧面に近接対向するように、第２支持筒体１４５が第１支持筒体１３３内に挿入されている。
【００６６】
発射ハンドル１４の解除指示ボタン５６は後方に突出した突出棒部１４６を備え、解除指示ボタン５６が押し操作されるとこの突出棒部１４６も押し方向に押し出され、戻りバネ５７によりに解除指示ボタン５６が元の位置に戻るとこの突出棒部１４６も元の位置に引き戻される。この突出棒部１４６は、その先端側の左右両箇所に、一対のピン部１４６ａがそれぞれ形成されている。また、第２支持筒体１４５は、その先端側周囲箇所に、突出棒部１４６の一対のピン部１４６ａがそれぞれ挿入される側面視で斜め方向に延びる一対の長孔状切欠き部１４５ａが形成されており、解除指示ボタン５６の押し操作により突出棒部１４６が押されると、この突出棒部１４６のピン部１４６ａが第２支持筒体１４５の長孔状切欠き部１４５ａの後方端にそれぞれ進むことで当該第２支持筒体１４５が押し操作方向を回動軸心として回動し、制御ユニット１４０が磁石ユニット１３０に対して回動する。つまり、回動変位機構１４８は、一対のピン部１４６ａを有する突出棒部１４６と、一対の長孔状切欠き部１４５ａを有する第２支持筒体１４５とで構成されている。
【００６７】
例えば、解除指示ボタン５６を押し操作していない状態（図１０、図１１参照）では、図１２に示すように、制御ユニット１４０の各非磁性体１４１が磁石ユニット１３０の永久磁石１３１に位置し且つ制御ユニット１４０の第２継鉄１４２が磁石ユニット１３０の第１継鉄１３２に位置する状態となっている。この状態では、磁石ユニット１３０による磁場、つまり、図１２（ｂ）に示すように、永久磁石１３１のＮ極からの磁力が、制御ユニット１４０の第２継鉄１４２を経て、非磁性体１４１を乗り越えて固定ガイド部材１１６に達し、制御ユニット１４０の第２継鉄１４２を経て永久磁石１３１のＳ極に至るとの磁気回路が形成されることから、磁石ユニット１３０が固定ガイド部材１１６に磁気吸着した状態、つまり発射ハンドル１４がその向きで吸着保持された状態となっている。
【００６８】
次に、解除指示ボタン５６を押し操作すると、第２支持筒体１４５が押し操作方向を回動軸心として回動し、図１３に示すように、制御ユニット１４０の各非磁性体１４１が磁石ユニット１３０の第１継鉄１３２に位置し且つ制御ユニット１４０の第２継鉄１４２が磁石ユニット１３０の永久磁石１３１に位置する状態となっている。この状態では、磁石ユニット１３０による磁場、つまり、図１３（ｂ）に示すように、永久磁石１３１のＮ極からの磁力が、固定ガイド部材１１６に到達することなく第２継鉄１４２内を通って永久磁石１３１のＳ極に至るとの磁気回路が形成されることから、磁石ユニット１３０が固定ガイド部材１１６に磁気吸着していない状態、つまり発射ハンドル１４の磁気吸着が解除された状態となっている。
【００６９】
以上説明した第２の実施形態のパチンコ機では、発射ハンドル１４の後部面内において同一磁極を相対向させて配列された複数の永久磁石１３１及び永久磁石１３１間に配設された第１継鉄１３２を有する磁石ユニット１３０と、磁石ユニット１３０と固定ガイド部材１１６との間に変位可能に位置し且つ非磁性体１４１と第２継鉄１４２とが配置された制御ユニット１４０と、非磁性体１４１が永久磁石１３１に対向し且つ第２継鉄１４２が第１継鉄１３２に対向する磁気吸着状態（第１状態）と、非磁性体１４１が第１継鉄１３２に対向し且つ第２継鉄１４２が永久磁石１３１に対向する磁気吸着解除状態（第２状態）と、に制御ユニット１４０を変位する回動変位機構１４８とを備え、回動変位機構１４８によって制御ユニット１４０が磁気吸着状態（第１状態）になると、永久磁石１３１からの磁気が制御ユニット１４０の第２継鉄１４２と固定ガイド部材１１６とを通る第１磁気回路が形成されて発射ハンドル１４が固定ガイド部材１１６に磁気吸着され、回動変位機構１４８によって制御ユニット１４０が磁気吸着解除状態（第２状態）になると、永久磁石１３１からの磁気が固定ガイド部材１１６に達せずに第２継鉄１４２を通る第２磁気回路が形成されて発射ハンドル１４の固定ガイド部材１１６への磁気吸着が解除される。
【００７０】
したがって、制御ユニット１４０が磁気吸着状態（第１状態）になると、永久磁石１３１からの磁気が固定ガイド部材１１６を通る第１磁気回路が形成されるので、永久磁石１３１の吸着で発射ハンドル１４を好みの状態で位置決めできる。また、制御ユニット１４０が磁気吸着解除状態（第２状態）になると、永久磁石１３１からの磁気が固定ガイド部材１１６に届かずに第２継鉄１４２を通る第２磁気回路に変更されるので、電磁コイル等の電気的手段を利用せずに、永久磁石１３１の吸着を解除でき、発射ハンドル１４の位置決めを解除することができる。つまり、永久磁石１３１の吸着で発射ハンドル１４を位置決めするにもかかわらず、電磁コイル等の電気的手段を利用せずに、発射ハンドル１４の位置決めを解除することができる。
【００７１】
以上、本発明の実施形態について詳述したが、本発明はこれらの実施形態に限定されるものではなく、本発明の趣旨を逸脱しない範囲で種々の変更が可能である。
【００７２】
なお、前述の各実施形態では、操作手段として、遊技球の発射操作のための発射ハンドル１４を例に挙げて説明しているが、発射ハンドル１４の以外に、ジョイスティック、タッチパネル、ステアリングコントローラ、操縦桿、押しボタン式操作装置、スライドレバー式操作装置などの各種コントローラ（入力装置）などが挙げられる。また、これらのコントローラは、遊技球の発射操作、遊技のための必須操作（例えば、スロットマシンのスタートレバー及びストップボタンの操作）、遊技内容に関連して行われる操作（例えば表示装置に表示される遊技表示演出での案内に従って行われる操作）などに用いるものが挙げられる。
【００７３】
また、発射ハンドル１４（操作手段）の変位状態としては、前述した各実施形態のように所定の角度位置（所定の向き）を例示しているが、操作手段（例えば発射ハンドル１４）がスライド変位可能な場合にはその距離位置（スライド位置）などの設定状態が挙げられる。
【００７４】
なお、前述した各実施形態では、発射ハンドル１４の基準状態は、遊技機（又は遊技者）にとって標準的な状態としているが、遊技者の最も使用頻度の高い状態などを基準状態に設定してもよい。例えば、発射ハンドル１４の基準状態として、遊技者の最も使用頻度の高い角度位置（向き）を採用してもよい。
【００７５】
なお、前述した第１の実施形態では、示唆手段として、発射ハンドル１４（操作手段）に対する変位操作可能期間を発光示唆する発光部１５７（発光手段）を採用しているが、当該変位操作可能期間を表示示唆する表示手段（演出図柄表示手段２０など）、変位操作可能期間をスピーカ１６から音声示唆する音声出力手段（サブ制御基板、音声出力制御基板）などを採用してもよいし、これらを複数組み合わせてもよい。また、示唆手段としての例えば小型の液晶表示装置（表示手段）を操作手段（発射ハンドル１４など）に配設するようにしてもよい。
【００７６】
また、前述した第２の実施形態では、遊技者が解除指示ボタン５６を押し操作することで磁石ユニット１３０による磁気吸着が解除され、押し操作を解除すると直ちに磁気吸着が再開されるため、前述の第１の実施形態のような発光部１５７などを備えていないが、磁気吸着解除を示唆するために前記の発光部１５７、表示手段（演出図柄表示手段２０など）、音声出力手段などを備えるようにしてもよい。
【００７７】
例えば、第１，第２回転軸は仮想的なもので、それら仮想的な第１，第２回転軸廻りに回転可能に支持されていればよく、必ずしもそれら第１，第２回転軸に沿って軸部材が配置されている必要はない。従って、例えば第２の実施形態の場合、発射ハンドル１４が固定された所定の回転体が所定点を中心に回転可能に支持されていればよく、その所定点で互いに直交する第１，第２回転軸を実際に設け、それら第１，第２回転軸によって個別に支持する構成とする必要はない。また、第１の実施形態の場合、第１回転軸と第２回転軸とは同一平面上になくてもよい。
【００７８】
また、前述した第１の実施形態の場合、固定ガイド部材１１６の固定ガイド面１２２を内回転体７３等の回転体に、磁気吸着手段５８及び磁気吸着解除手段６０をベース体７１等に配置してもよい。また、前述した第２の実施形態の場合、固定ガイド部材１１６の固定ガイド面１２２を内回転体７３等の回転体に、磁石ユニット１３０及び制御ユニット１４０をベース体７１等に配置してもよい。
【００７９】
なお、前述した各実施形態では、発射ハンドル１４の磁気吸着解除を、ハンドルキャップ６３を発光させることで遊技者に示唆しているが、回転操作部６２、機構収容部６７又は支持脚部６６などを発光させるようにしてもよく、それらの少なくとも一つを発光させるようにしてもよい。また、発射ハンドル１４に替えてあるいは発射ハンドル１４とともに、演出図柄表示手段２０に発射ハンドル１４が磁気吸着解除であることを表示するようにしてもよい。
【００８０】
また、前述した第１の実施形態では、解除指示ボタン５６を発射ハンドル１４に設けているが、発射ハンドル１４ではなく、図１に示す貯留皿１３の演出操作部５５を、磁気吸着の解除指示用として兼用し、演出操作部５５からの指示を図９に示す主制御基板１５０で判定制御するようにしてもよい。また、図１に示す下部開閉扉１０（例えば貯留皿１３）などに専用操作部（操作ボタン）を設けて図９に示す主制御基板１５０で判定制御するようにしてもよい。
【００８１】
また本発明は、アレンジボール機、雀球遊技機等の他の遊技機においても同様に実施することが可能である。
【００８２】
また、上述した複数の実施形態（変形例を含む）のうちいくつかを組み合わせた構成としてもよいし、ある実施形態の一部の手段等（手段、構成、装置、部品、機能、要素、処理ステップ、工程又はこれらの結合）を他の実施形態（いくつかの実施形態を組み合わせたものを含む）に組み合わせた構成としてもよいし、ある実施形態の一部の手段等と他の実施形態における一部の手段等とを組み合わせた構成としてもよいし、ある実施形態の一部の手段等を削除した構成としてもよい。
【符号の説明】
【００８３】
１４    発射ハンドル（操作手段）
２０    演出図柄表示手段（示唆手段）
５８    磁気吸着手段
６０    磁気吸着解除手段
６５    ハンドル角度調整手段（変位手段）
１００  永久磁石
１０１  対向用継鉄（継鉄、）
１０２  外形用継鉄（継鉄）
１０３  励磁コイル  
１１６  固定ガイド部材（固定側部材）
１１８  姿勢戻しバネ（戻し手段）
１３０  磁石ユニット
１３１  永久磁石
１３２  第１継鉄
１４０  制御ユニット（後部）
１４１  非磁性体
１４２  第２継鉄
１５７  発光部（示唆手段）
【図１】
2014094142.tif 000003
【図２】
2014094142.tif 000004
【図３】
2014094142.tif 000005
【図４】
2014094142.tif 000006
【図５】
2014094142.tif 000007
【図６】
2014094142.tif 000008
【図７】
2014094142.tif 000009
【図８】
2014094142.tif 000010
【図９】
2014094142.tif 000011
【図１０】
2014094142.tif 000012
【図１１】
2014094142.tif 000013
【図１２】
2014094142.tif 000014
【図１３】
2014094142.tif 000015